(57)【特許請求の範囲】
【請求項１】
二次電池に電力を供給可能であり、ピン形状を有する第１および第２の充電用端子と、
前記二次電池から供給される電力により駆動する駆動源と、
前記駆動源から伝達される力により駆動する刃ユニットと、
充電器のプラグの装着が可能であり、前記第１および第２の充電用端子が設けられるプラグ装着穴と、
前記プラグ装着穴の底面であり、前記第１および第２の充電用端子を前記プラグ装着穴に突出させる穴底面と、
前記穴底面に設けられ、前記プラグに設けられる溝部に挿入可能な先端部を含み、前記プラグ装着穴を前記第１の充電用端子が設けられる第１の端子収容部と前記第２の充電用端子が設けられる第２の端子収容部とに区画する仕切壁とを備え、
前記プラグが前記プラグ装着穴に装着された状態において寸法誤差が吸収されるように前記先端部と前記溝部との間に第１の隙間が形成され、前記プラグが前記プラグ装着穴に装着された状態において毛細管現象の発生が抑制されるように前記プラグの先端面と前記穴底面との間に第２の隙間が形成され、前記プラグの着脱方向において前記第２の隙間の寸法が前記第１の隙間の寸法よりも長くなるように前記仕切壁および前記穴底面が構成される
電気かみそり。
【請求項２】
前記プラグの着脱方向と直交する方向において前記仕切壁と前記第１および第２の充電用端子のそれぞれとの距離は前記仕切壁の厚みよりも長い
請求項１に記載の電気かみそり。
【請求項３】
前記プラグの着脱方向と直交する方向において前記仕切壁と前記第１および第２の充電用端子のそれぞれとの距離は前記溝部の幅よりも長い
請求項１または２に記載の電気かみそり。
【請求項４】
前記プラグの着脱方向と直交する方向において前記第１または第２の端子収容部の隣に設けられ、前記第１または第２の端子収容部と繋がり、前記第１または第２の端子収容部に浸入した液体を外部に排出可能な排出路をさらに備える
請求項１〜３のいずれか一項に記載の電気かみそり。
【発明の詳細な説明】
【技術分野】
【０００１】
本発明は、二次電池に電力を供給可能であり、ピン形状を有する第１および第２の充電用端子、ならびに、充電器のプラグの装着が可能であり、第１および第２の充電用端子が設けられるプラグ装着穴を含む電気かみそりに関する。
【背景技術】
【０００２】
充電式の電気かみそりにおいては、内蔵される二次電池に対して外部から充電器を使って充電が行われる。そのため、例えば特許文献１に示されるように、電気かみそりの下端部には、充電器のプラグが着脱可能なプラグ装着穴が備えられている。プラグ装着穴内には一対の充電用端子が突出しており、充電器のプラグに設けられる一対の端子挿入穴に挿入されて電気的に接続されるようになっている。
【先行技術文献】
【特許文献】
【０００３】
【特許文献１】特開平１−１７５１７７号公報
【発明の概要】
【発明が解決しようとする課題】
【０００４】
ところで、電気かみそりは、水滴等の液体が付着するような環境で使用されることもあるため、プラグ装着穴内に水滴が入り込んだ場合に、一対の充電用端子を短絡させてしまうことが懸念される。特に、充電器のプラグが挿入された時に、そのプラグと電気かみそりのプラグ装着穴との間に微小な隙間が形成され、所謂毛細管現象により水滴がその隙間に拡がって、一対の充電用端子が短絡し易い状況となる。
【０００５】
因みに、特許文献１に開示の技術は、電気かみそりのプラグ装着穴の周囲に環状の溝を設け、電気かみそりの表面を伝ってきた水滴がその溝よりも内側に移動することを遮断するものである。つまり、プラグ装着穴に未然に水滴が入り込まないようにして、充電用端子間での短絡が極力生じないようにするものであるため、プラグ装着穴に水滴が入り込んだ際にその短絡を抑制することが望まれている。
【０００６】
本発明の目的はプラグ装着穴に水滴等の液体が浸入しても充電用端子間での短絡が生じにくい電気かみそりを提供することである。
【課題を解決するための手段】
【０００７】
本発明に従う電気かみそりの一形態は、二次電池に電力を供給可能であり、ピン形状を有する第１および第２の充電用端子と、前記二次電池から供給される電力により駆動する駆動源と、前記駆動源から伝達される力により駆動する刃ユニットと、充電器のプラグの装着が可能であり、前記第１および第２の充電用端子が設けられるプラグ装着穴と、前記プラグ装着穴の底面であり、前記第１および第２の充電用端子を前記プラグ装着穴に突出させる穴底面と、前記穴底面に設けられ、前記プラグに設けられる溝部に挿入可能な先端部を含み、前記プラグ装着穴を前記第１の充電用端子が設けられる第１の端子収容部と前記第２の充電用端子が設けられる第２の端子収容部とに区画する仕切壁とを備え、前記プラグが前記プラグ装着穴に装着された状態において寸法誤差が吸収されるように前記先端部と前記溝部との間に第１の隙間が形成され、前記プラグが前記プラグ装着穴に装着された状態において毛細管現象の発生が抑制されるように前記プラグの先端面と前記穴底面との間に第２の隙間が形成され、前記プラグの着脱方向において前記第２の隙間の寸法が前記第１の隙間の寸法よりも長くなるように前記仕切壁および前記穴底面が構成される。
【発明の効果】
【００１０】
上記電気かみそりによれば、プラグ装着穴に水滴等の液体が浸入しても充電用端子間での短絡が生じにくい。
【図面の簡単な説明】
【００１１】
【図１】は実施形態の電気かみそりの斜視図である。
【図２】は図１の電気かみそりの底面図である。
【図３】は図２のプラグ装着穴部分の端面図である（プラグ未装着）。
【図４】は図２のプラグ装着穴部分の端面図である（プラグ装着）。
【図５】は比較例のプラグ装着穴部分の端面図である（プラグ装着）。
【発明を実施するための形態】
【００１２】
（電気かみそりが取り得る形態の一例）
〔１〕本発明に従う電気かみそりの一形態は、二次電池に電力を供給可能であり、ピン形状を有する第１および第２の充電用端子と、前記二次電池から供給される電力により駆動する駆動源と、前記駆動源から伝達される力により駆動する刃ユニットと、充電器のプラグの装着が可能であり、前記第１および第２の充電用端子が設けられるプラグ装着穴と、前記プラグ装着穴の底面であり、前記第１および第２の充電用端子を前記プラグ装着穴に突出させる穴底面と、前記穴底面に設けられ、前記プラグに設けられる溝部に挿入可能な先端部を含み、前記プラグ装着穴を前記第１の充電用端子が設けられる第１の端子収容部と前記第２の充電用端子が設けられる第２の端子収容部とに区画する仕切壁とを備え、前記プラグが前記プラグ装着穴に装着された状態において寸法誤差が吸収されるように前記先端部と前記溝部との間に第１の隙間が形成され、前記プラグが前記プラグ装着穴に装着された状態において毛細管現象の発生が抑制されるように前記プラグの先端面と前記穴底面との間に第２の隙間が形成され、前記プラグの着脱方向において前記第２の隙間の寸法が前記第１の隙間の寸法よりも長くなるように前記仕切壁および前記穴底面が構成される。
〔２〕前記電気かみそりの一例によれば、前記プラグの着脱方向と直交する方向において前記仕切壁と前記第１および第２の充電用端子のそれぞれとの距離は前記仕切壁の厚みよりも長い。
〔３〕前記電気かみそりの一例によれば、前記プラグの着脱方向と直交する方向において前記仕切壁と前記第１および第２の充電用端子のそれぞれとの距離は前記溝部の幅よりも長い。
〔４〕前記電気かみそりの一例によれば、前記プラグの着脱方向と直交する方向において前記第１または第２の端子収容部の隣に設けられ、前記第１または第２の端子収容部と繋がり、前記第１または第２の端子収容部に浸入した液体を外部に排出可能な排出路をさらに備える。
【００１３】
（実施形態）
図１に示すように、充電式の電気かみそり１０は、使用者の手で把持し易い略扁平直方体状をなすグリップ部１１と、該グリップ部１１の長手方向一端部に設けられるヘッド部１２とを有している。尚、説明便宜上、ヘッド部１２が設けられる側を上側とする。ヘッド部１２は、外刃１５ａ及び内刃１５ｂを有する刃ユニット１５と駆動モータ１６とを備え、駆動モータ１６の駆動により内刃１５ｂを往復動させ、その内刃１５ｂを覆うように設けられる外刃１５ａから導入された髭等を両刃１５ａ，１５ｂにて切断するものである。また、このヘッド部１２は、グリップ部１１に対して進退可能に且つ内刃１５ｂの往復駆動方向である幅方向にも傾動可能に連結されており、外刃１５ａ部分が使用者の肌面に追従して良好に接触するように可動できるようになっている。
グリップ部１１は、内部に制御回路２０（回路基板）と二次電池２１とを備えるとともに、前面略中央にスイッチ２２が備えられており、該スイッチ２２、制御回路２０、二次電池２１及び上記の駆動モータ１６は電気的に接続されている。スイッチ２２が操作されると、制御回路２０は二次電池２１からの電力を駆動モータ１６に供給し、モータ１６による内刃１５ｂの駆動が行われる。二次電池２１は、商用交流電源から充電用の直流電力を生成する充電器（図示略）を用いて外部から充電がなされる。この場合、充電器のプラグ３０（図４参照）との接続を図るためのプラグ装着穴２５がグリップ部１１の下端部に設けられている。
【００１４】
図２及び図３に示すように、プラグ装着穴２５は下方に開口しており、開口断面が略矩形状をなしている。また、プラグ装着穴２５には、その穴底面２５ａの幅方向中央部において平板状の仕切壁２６が立設されている。仕切壁２６は、電気かみそり１０の前後方向に対向する内側面２５ｂ間に跨るように形成され、プラグ装着穴２５の開口方向、即ちプラグ３０の着脱方向に延びている。仕切壁２６の高さ（開口方向長さ）は、穴底面２５ａからの穴深さの約半分に設定されている。
【００１５】
プラグ装着穴２５の仕切壁２６にて仕切られることで形成された一対の端子収容部２５ｃには、各穴底面２５ａの中央部から充電用端子２７がそれぞれ突出している。この対をなす各充電用端子２７は、互いに異なる極性の端子であり、絶縁が図られる。各充電用端子２７は、互いに同形状をなし、プラグ装着穴２５の開口方向（プラグ３０の着脱方向）に延びている。各充電用端子２７は、突出長さが仕切壁２６の高さ寸法より長く、プラグ装着穴２５の開口部付近まで突出している。
【００１６】
図４に示すように、充電器のプラグ３０の先端部分は、電気かみそり１０のプラグ装着穴２５に挿入され嵌合可能な略直方体形状の嵌合部３１を有している。嵌合部３１の挿入長さは、プラグ装着穴２５の穴深さの約半分に設定されている。プラグ３０の嵌合部３１の先端面３１ａには、プラグ装着穴２５の仕切壁２６の先端部２６ａが挿入される溝部３２が形成されている。即ち、プラグ３０の嵌合部３１がプラグ装着穴２５に挿入されて嵌合され、仕切壁２６の先端部２６ａが溝部３２内に挿入されることで、仕切壁２６の両側の端子収容部２５ｃがそれぞれ独立した空間となるようになっている。
【００１７】
プラグ３０の嵌合部３１の先端面３１ａにおける溝部３２の両側には、それぞれの充電用端子２７が挿入される端子挿入穴３１ｂがそれぞれ設けられている。各端子挿入穴３１ｂ内には、挿入された各充電用端子２７と電気的に接続される雌型端子（図示略）が備えられている。そして、プラグ装着穴２５にこの嵌合部３１が挿入され嵌合することで、各充電用端子２７が端子挿入穴３１ｂ内に挿入されて各充電用端子２７と充電器のプラグ３０とが電気的に接続され、充電器からの充電電力が電気かみそり１０（二次電池２１）に供給されるようになっている。
【００１８】
次に、本実施形態の作用について、充電器のプラグ３０がプラグ装着穴２５に装着されると、仕切壁２６にて個々の充電用端子２７を有するプラグ装着穴２５の端子収容部２５ｃが互いに独立した空間となるものの、両端子収容部２５ｃは僅かな隙間（後述の隙間ａ，ｂ）で連通している。従って、充電器のプラグ３０（嵌合部３１）とプラグ装着穴２５に水滴等の液体が入り込んでいると、これらの間に形成される隙間で生じる所謂毛細管現象によって水滴等が広く広がって、対の充電用端子２７間を短絡することが懸念される。
【００１９】
本実施形態ではその端子２７間の短絡を考慮し、プラグ３０の着脱方向（充電用端子２７の突出方向）において、仕切壁２６の先端部２６ａと溝部３２の溝底部３２ａとの隙間ａ（隙間長さＬ１）に対して、プラグ３０の嵌合部３１の先端面３１ａとプラグ装着穴２５の穴底面２５ａとの隙間ｂ（隙間長さＬ２）が十分に大きくなるように（本実施形態では、約１０倍程度）設定されている。前者の隙間ａは、寸法誤差を吸収するのが主たる目的の隙間であり、後者の隙間ｂは、毛細管現象の発生を抑制することを目的とした隙間寸法に設定されている。つまり、プラグ３０の着脱方向（充電用端子２７の突出方向）における隙間ｂを大きく設定することで、隙間ａ，ｂを通る充電用端子２７間の短絡経路Ｘ１の長さが長くなるばかりか、仕切壁２６の厚さＤが基端部から先端部まで略同等に設定されていることからも、短絡経路Ｘ１方向と直交する方向の隙間ｂの幅Ｗも広い状態を長く取ることができる（短絡経路Ｘ１上の隙間ａ，ｂの容積も大きくできる）ため、毛細管現象が生じ難い構造となっている。
【００２０】
図５は、本実施形態に対する比較例を示す。説明の便宜上、図４とは異なる主要部分のみ符号を異ならせる。この比較例では、プラグ３０の着脱方向（充電用端子２７の突出方向）において、仕切壁２６の先端部２６ａと溝部３２の溝底部３２ａとの隙間ａ（隙間長さＬ１）に対して、プラグ３０の嵌合部３１の先端面３１ａとプラグ装着穴２５の穴底面２５ａとの隙間ｃ（隙間長さＬ３）が略同等に設定されるのが従来では一般的である。つまり、この比較例では、後者の隙間ｃも寸法誤差を吸収するのが主たる目的の隙間として設定されている。従って、隙間ａ，ｃを通る充電用端子２７間の短絡経路Ｘ２長さが非常に短く、該短絡経路Ｘ２上の隙間ａ，ｃの容積も非常に小さいため、毛細管現象が生じ易い。
【００２１】
この比較例に対し本実施形態では、図４に示した上記の構造を採用したことで、充電器のプラグ３０とプラグ装着穴２５との間に水滴等が入り込んでも、その両者間の隙間ａ，ｂにおいて毛細管現象による水滴等の拡がりが抑制され、充電用端子２７間の短絡が極力生じないようになっている。
【００２２】
尚、図４に示すように、プラグ装着穴２５の内側面２５ｂに、装着されたプラグ３０との間に入り込んだ水滴等を外部に排出するための排出溝３５や排出口３６を設けることで、短絡の原因となる水滴等をプラグ装着穴２５から排除することが可能である。
【００２３】
排出溝３５は、プラグ装着穴２５の内側面２５ｂの例えば一方の端子収容部２５ｃにおいてプラグ装着穴２５の開口方向に延び、プラグ３０の装着状態での端子収容部２５ｃと外部とを連通する溝である。また、排出口３６は、同じく一方の端子収容部２５ｃの内側面２５ｂに開口し、グリップ部１１の外観を構成するハウジングの継ぎ目（図示略）に繋がる開口である。
【００２４】
このような排出溝３５や排出口３６を設けることで、プラグ装着穴２５に入り込んだ水滴等がプラグ３０の装着状態においても外部に排出可能となるため、そもそもの短絡の要因となる水滴等の残存量を低減でき、充電用端子２７間の短絡が未然に防止される。
【００２５】
次に、本実施形態の特徴的な効果を記載する。
（１）プラグ３０の着脱方向において、プラグ装着穴２５内の仕切壁２６の先端部２６ａとプラグ３０（嵌合部３１）の先端面３１ａの溝部３２と間の隙間ａより、プラグ装着穴２５の穴底面２５ａとプラグ３０（嵌合部３１）の先端面３１ａとの間の隙間ｂの方が大となるように構成されている。つまり、隙間ａ，ｂを通る充電用端子２７間の短絡経路Ｘ１の長さを長くすることができ、また短絡経路Ｘ１上の隙間ａ，ｂの容積も大きくすることが可能なため、毛細管現象を生じ難くすることができる。そのため、プラグ装着穴２５内に入り込んだ水滴等にて充電用端子２７間の短絡を極力生じないようにすることができる。
【００２６】
（２）仕切壁２６は、プラグ装着穴２５の基端部（穴底面２５ａ側）から先端部２６ａに向かって同等の厚さＤにて構成されている。つまり、隙間ｂの幅Ｗを幅広とした状態で短絡経路Ｘ１方向に隙間ｂを長く取ることができるため、短絡経路Ｘ１上の隙間ａ，ｂの容積を確実に大きくでき、毛細管現象の発生の抑制に寄与することができる。
【００２７】
（３）プラグ装着穴２５には、該穴２５内に入り込んだ水滴等の液体を外部に排出する排出路（排出溝３５及び排出口３６）が形成されている。つまり、プラグ装着穴２５に入り込んだ水滴等がプラグ３０の装着状態においても外部に排出可能となる。そのため、そもそもの短絡の要因となる水滴等の残存量を低減でき、充電用端子２７間の短絡を未然に防止することができる。
【００２８】
（４）充電器のプラグ３０を既存構成とし、電気かみそり１０のプラグ装着穴２５側の構成変更のみで対応することで、既存の充電器をこの電気かみそり１０に対しても継続して使用することができる。
【００２９】
尚、本発明の実施形態は、以下のように変更してもよい。
・上記実施形態では、プラグ装着穴２５に一対（２本）の充電用端子２７を有する態様であったが、３本以上の充電用端子を有するプラグ装着穴に適用してもよい。
【００３０】
・上記実施形態では、プラグ装着穴２５に設けた排出路として排出溝３５及び排出口３６の両者を設けたが、いずれか一方のみでもよい。また、この排水路を省略した構成としてもよい。
【００３１】
・上記実施形態では、充電器のプラグ３０を既存構成とし、電気かみそり１０のプラグ装着穴２５側の構成変更のみで対応したが、例えばプラグ３０とプラグ装着穴２５との両者共に構成の変更を行ってもよい。
【００３２】
・上記実施形態では、髭を切除する電気かみそり１０に適用したが、髭以外の体毛を切除する電気かみそりに適用してもよい。
【００３３】
（付記）
（付記Ａ）内蔵の二次電池からの電力供給に基づいて駆動源を駆動して刃ユニットを動作させる電気かみそりにおいて、前記二次電池の充電を行うための複数の充電用端子を有するプラグ装着穴を備え、該プラグ装着穴への充電器のプラグの装着により前記各充電用端子を通じて前記二次電池の充電が行われる電気かみそりとその充電器との接続構造であって、
前記プラグ装着穴への前記プラグの装着時に、前記プラグ装着穴を前記各充電用端子毎に仕切る仕切壁が設けられ、前記プラグの先端面には前記仕切壁の先端部が挿入される溝部が設けられるものであり、
前記プラグの着脱方向において、前記仕切壁の先端部と前記プラグの先端面の溝部と間の隙間より、前記プラグ装着穴の穴底面と前記プラグの先端面との間の隙間の方が大となるように構成されていることを特徴とする電気かみそりと充電器との接続構造。
（付記Ｂ）上記（付記Ａ）に記載の電気かみそりと充電器との接続構造において、
前記充電器のプラグは既存構成のプラグであるのに対し、前記電気かみそりのプラグ装着穴側の変更のみで対応することを特徴とする電気かみそりと充電器との接続構造。
【００３４】
（付記１）
内蔵の二次電池からの電力供給に基づいて駆動源を駆動して刃ユニットを動作させる電気かみそりにおいて、前記二次電池の充電を行うための複数の充電用端子を有するプラグ装着穴を備え、該プラグ装着穴への充電器のプラグの装着により前記各充電用端子を通じて前記二次電池の充電が行われる電気かみそりであって、
前記プラグ装着穴への前記プラグの装着時に、前記プラグ装着穴を前記各充電用端子毎に仕切る仕切壁が設けられ、前記プラグの先端面には前記仕切壁の先端部が挿入される溝部が設けられるものであり、
前記プラグの着脱方向において、前記仕切壁の先端部と前記プラグの先端面の溝部と間の隙間より、前記プラグ装着穴の穴底面と前記プラグの先端面との間の隙間の方が大となるように構成されている
電気かみそり。
（付記２）
前記仕切壁は、前記プラグ装着穴の穴底面から先端部に向かって前記プラグの着脱方向に延びて構成されるものであって、前記プラグ装着穴の穴底面から先端部に向かって同等の厚さにて構成されている
付記１に記載の電気かみそり。
（付記３）
前記プラグ装着穴には、該穴内に入り込んだ液体を外部に排出する排出路が形成されている
付記１または２に記載の電気かみそり。
【符号の説明】
【００３５】
１０  ：電気かみそり
１１  ：グリップ部
１２  ：ヘッド部
１５  ：刃ユニット
１５ａ：外刃
１５ｂ：内刃
１６  ：駆動モータ（駆動源）
２０  ：制御回路
２１  ：二次電池
２２  ：スイッチ
２５  ：プラグ装着穴
２５  ：穴
２５ａ：穴底面
２５ｂ：内側面
２５ｃ：端子収容部
２６  ：仕切壁
２６ａ：先端部
２７  ：充電用端子
３０  ：プラグ
３１  ：嵌合部
３１ａ：先端面
３１ｂ：端子挿入穴
３２  ：溝部
３２ａ：溝底部
３５  ：排出溝（排出路）
３６  ：排出口（排出路）
Ｘ１  ：短絡経路
Ｘ２  ：短絡経路
ａ    ：隙間
ｂ    ：隙間
ｃ    ：隙間
Ｄ    ：厚さ
Ｗ    ：幅
【図１】
0005923743.tif 000002
【図２】
0005923743.tif 000003
【図３】
0005923743.tif 000004
【図４】
0005923743.tif 000005
【図５】
0005923743.tif 000006